(57)【要約】  【課題】  読影医がキー画像を読影レポートに添付する際にビューワに表示された検査画像を、読影医の他に、検査依頼医等も読影レポートを閲覧する際に容易に取得し、同じ画像表示状態で観察及び確認できる読影レポート作成装置を提供する。  【解決手段】  この読影レポート作成装置は、読影レポート作成画面を表示部に表示させるレポート作成手段と、画像データを画像サーバから取得する画像データ取得手段と、医用画像を画像表示端末に表示させる画像データ出力手段と、ユーザが選択した医用画像をキー画像として設定するキー画像挿入手段と、キー画像が設定されたときに画像表示端末における画像表示状態を表す画像表示状態データを取得する画像表示状態取得手段と、画像表示状態データを当該読影レポート及び当該キー画像に関連付けて、読影レポートデータと共に読影レポートサーバに格納するデータ保存手段とを具備する。【選択図】  図２
2007087285.tif 000002
【特許請求の範囲】
【請求項１】
読影レポートを表す読影レポートデータを格納する読影レポートサーバと、医用画像を表す画像データを格納する画像サーバと、医用画像を表示するための少なくとも１つの画像表示端末とに接続され、読影レポートを作成する際に用いられる読影レポート作成装置であって、
ユーザが選択した検査について読影レポートを作成するために用いられる読影レポート作成画面を表示部に表示させると共に、ユーザが入力する情報に基づいて読影レポートを作成するレポート作成手段と、
ユーザが選択した検査に対応する医用画像を表す画像データを前記画像サーバから取得する画像データ取得手段と、
前記画像データ取得手段によって取得された画像データを前記画像表示端末に出力することにより、ユーザが選択した検査に対応する医用画像を前記画像表示端末に表示させる画像データ出力手段と、
前記画像表示端末に表示された医用画像の内でユーザが選択した少なくとも１つの医用画像を少なくとも１つのキー画像として設定して読影レポートに挿入するキー画像挿入手段と、
いずれかのキー画像が設定されたときに、前記画像表示端末における医用画像の画像表示状態を表す画像表示状態データを取得する画像表示状態取得手段と、
前記画像表示状態取得手段によって取得された画像表示状態データを、当該読影レポート及び当該キー画像に関連付けて、作成された読影レポートを表す読影レポートデータと共に前記読影レポートサーバに格納するデータ保存手段と、
を具備する読影レポート作成装置。
【請求項２】
前記データ保存手段が、前記画像表示状態取得手段によって取得された画像表示状態データを、当該読影レポートを特定するためのレポートＩＤと、当該キー画像を特定するためのキー画像情報とに関連付けて、前記読影レポートサーバに格納する、請求項１記載の読影レポート作成装置。
【請求項３】
前記画像表示状態データが、前記画像表示端末に表示された医用画像のレイアウトに関する情報と、前記画像表示端末に表示された医用画像の画像処理において用いられた画像処理パラメータと、前記画像表示端末に表示された医用画像の回転に関する情報と、前記画像表示端末に表示された医用画像の拡大に関する情報との内の少なくとも１つを含む、請求項１又は２記載の読影レポート作成装置。
【請求項４】
キー画像が設定されたときの画像表示端末における医用画像の画像表示状態を表す画像表示状態データを読影レポート及びキー画像に関連付けて、読影レポートを表す読影レポートデータと共に格納する読影レポートサーバと、医用画像を表す画像データを格納する画像サーバと、医用画像を表示するための少なくとも１つの画像表示端末とに接続され、読影レポートを表示する際に用いられる依頼者端末であって、
前記読影レポートサーバから、ユーザが選択した検査についての読影レポートデータを読み出して、読影レポートを表示部に表示させるレポート取得手段と、
前記読影レポートサーバから、ユーザが選択した検査についての読影レポートに関連付けられた画像表示状態データを読み出す画像表示状態読み出し手段と、
前記画像表示状態読み出し手段によって読み出された画像表示状態データに基づいて、依頼者が選択したキー画像に関連付けられた医用画像を表す画像データを前記画像サーバから取得する画像データ取得手段と、
前記画像データ取得手段によって取得された画像データ及び前記画像表示状態読み出し手段によって読み出された画像表示状態データを前記画像表示端末に出力することにより、依頼者が選択したキー画像に関連付けられた医用画像を、キー画像が設定されたときの画像表示状態で前記画像表示端末に表示させる画像データ出力手段と、
を具備する依頼者端末。
【発明の詳細な説明】
【技術分野】
【０００１】
本発明は、画像による医療診断のために用いられる検査画像（医用画像）の撮影後に医師によって行われる読影を支援するための読影支援システムにおいて、読影医が読影レポートを作成するために用いる読影レポート作成装置に関する。さらに、本発明は、読影レポートを閲覧するための閲覧システムにおいて、読影を依頼した臨床医等の依頼者が用いる依頼者端末に関する。
【背景技術】
【０００２】
近年、ＣＲ（computed radiography：コンピュータ放射線撮影）、ＭＲＩ（magnetic resonance imaging：磁気共鳴撮影）、ＣＴ（computed tomography：コンピュータ断層撮影）等の医用ディジタル画像生成技術の普及に伴い、検査によって取得された医用画像を電子的に管理することが行われている。
【０００３】
一般に、撮像検査が行われた場合には、患者に対して担当医による具体的な診断が下される前に、撮影された医用画像について読影医による読影が行われ、読影結果や所見が記入された読影レポートが作成される。従来は、ディジタル画像データが生成された場合においても、読影の際には、写真フィルムにハードコピーされた医用画像が用いられていたが、高精細な画像モニタ（ビューワ）の開発に伴い、モニタ上に表示された医用画像を読影することも行われるようになっている。
【０００４】
また、読影レポート作成装置を用いて、読影レポートを電子的に作成することも行われている。その場合に、読影レポートにキー画像を添付することが一般的である。ここで、キー画像とは、１回の検査によって得られた一連の画像の内で、読影の鍵になると読影医によって判断された画像のことであり、１つの検査について、少なくとも１つの画像がキー画像として設定される。
【０００５】
それにより、検査画像についての読影を読影医に依頼した担当医（依頼者）は、読影医によって作成された読影レポートを閲覧する際に、読影レポートに添付されたキー画像を観察することができる。しかしながら、読影レポートの内容を理解するために検査画像をもっと詳細に観察する必要がある場合には、読影医が読影レポートを作成する際に観察した検査画像の画像表示状態を再現することが望まれる。従って、読影医がキー画像を読影レポートに添付する際にビューワに表示された検査画像を、依頼者も読影レポートを閲覧する際に容易に取得して、同じ画像表示状態で観察及び確認できれば便利である。
【０００６】
関連する技術として、特許文献１には、中・低速ネットワークに接続された利用者端末装置において画像診断報告書に関連した二次元・三次元・四次元画像を対話的に操作し、また、関連情報を対話的に取得可能にしたレポート作成・閲覧システムが開示されている。このレポート作成・閲覧システムにおいては、医用画像データの保管と転送を行うＰＡＣＳサーバのネットワーク近傍にデータ処理装置を設置し、画像診断医が作成する画像診断報告書に、参照画像の再現と関連情報取得のための画像処理パラメータセットを添付する。依頼部門の利用者は、利用者端末において報告書を閲覧する際に、画像診断報告書に添付されたパラメータセットをデータ処理装置に送信することにより、ＰＡＣＳサーバ等から画像データ及び関連情報を取得できる。
【０００７】
特許文献１によれば、依頼者が、ある読影レポートに対応する医用画像に対してどのような画像処理が施されたかを知ることはできるが、読影医が読影レポートを作成する際に医用画像をどのようなレイアウトや拡大率で表示して観察したかという画像表示状態については知ることができない。
【０００８】
また、特許文献２には、医用画像を表示する画像表示装置と、前記医用画像を担持する画像データを記憶媒体に記憶させ、かつ該記憶媒体から読み出す画像アーカイブ装置と、マニュアル操作部を有し、このマニュアル操作部でなされた操作に基づいて、前記画像表示装置に表示される医用画像に所定の処理を施す手段とを備えてなる読影レポートシステムが開示されている。この読影レポートシステムにおいては、前記画像表示装置に表示された画像に関する読影レポートを作成する読影レポート手段と、この読影レポートを表示する読影レポート表示手段と、前記画像アーカイブ装置に記憶される画像データに基づく画像が前記画像表示装置に表示されているときに前記マニュアル操作部でなされた操作を示す情報を、該画像データ及びこの画像に関する前記読影レポートと対応付けて記憶手段に記憶する制御手段とが設けられている。
【０００９】
特許文献２においては、読影レポートの中に、その読影レポートに対応付けて記憶手段に記憶されている画像データを読み出すためのリンクを形成しているので、読影に供された検査画像の画像データを全て記憶しておかなくても、読影レポートに対応する検査画像を再現することができる。しかしながら、読影レポートに複数のキー画像を添付した場合には、複数のキー画像についての画像表示状態を管理することができないという問題がある。
【特許文献１】特開２００３−１３５４２７号公報（第１、３頁、図１）
【特許文献２】特開２００３−２８４６９４号公報（第１、２頁、図１）
【発明の開示】
【発明が解決しようとする課題】
【００１０】
そこで、上記の点に鑑み、本発明は、読影医が１つ又は複数のキー画像を読影レポートに添付する際にビューワに表示された検査画像を、読影医の他に、検査依頼医、検査実施者、看護師等も読影レポートを閲覧する際に容易に取得して、同じ画像表示状態で観察及び確認できる読影レポート作成装置及び依頼者端末を提供することを目的とする。
【課題を解決するための手段】
【００１１】
上記課題を解決するため、本発明の１つの観点に係る読影レポート作成装置は、読影レポートを表す読影レポートデータを格納する読影レポートサーバと、医用画像を表す画像データを格納する画像サーバと、医用画像を表示するための少なくとも１つの画像表示端末とに接続され、読影レポートを作成する際に用いられる読影レポート作成装置であって、ユーザが選択した検査について読影レポートを作成するために用いられる読影レポート作成画面を表示部に表示させると共に、ユーザが入力する情報に基づいて読影レポートを作成するレポート作成手段と、ユーザが選択した検査に対応する医用画像を表す画像データを画像サーバから取得する画像データ取得手段と、画像データ取得手段によって取得された画像データを画像表示端末に出力することにより、ユーザが選択した検査に対応する医用画像を画像表示端末に表示させる画像データ出力手段と、画像表示端末に表示された医用画像の内でユーザが選択した少なくとも１つの医用画像を少なくとも１つのキー画像として設定して読影レポートに挿入するキー画像挿入手段と、いずれかのキー画像が設定されたときに、画像表示端末における医用画像の画像表示状態を表す画像表示状態データを取得する画像表示状態取得手段と、画像表示状態取得手段によって取得された画像表示状態データを、当該読影レポート及び当該キー画像に関連付けて、作成された読影レポートを表す読影レポートデータと共に読影レポートサーバに格納するデータ保存手段とを具備する。
【００１２】
また、本発明の１つの観点に係る依頼者端末は、キー画像が設定されたときの画像表示端末における医用画像の画像表示状態を表す画像表示状態データを読影レポート及びキー画像に関連付けて、読影レポートを表す読影レポートデータと共に格納する読影レポートサーバと、医用画像を表す画像データを格納する画像サーバと、医用画像を表示するための少なくとも１つの画像表示端末とに接続され、読影レポートを表示する際に用いられる依頼者端末であって、読影レポートサーバから、ユーザが選択した検査についての読影レポートデータを読み出して、読影レポートを表示部に表示させるレポート取得手段と、読影レポートサーバから、ユーザが選択した検査についての読影レポートに関連付けられた画像表示状態データを読み出す画像表示状態読み出し手段と、画像表示状態読み出し手段によって読み出された画像表示状態データに基づいて、依頼者が選択したキー画像に関連付けられた医用画像を表す画像データを画像サーバから取得する画像データ取得手段と、画像データ取得手段によって取得された画像データ及び画像表示状態読み出し手段によって読み出された画像表示状態データを画像表示端末に出力することにより、依頼者が選択したキー画像に関連付けられた医用画像を、キー画像が設定されたときの画像表示状態で画像表示端末に表示させる画像データ出力手段とを具備する。
【発明の効果】
【００１３】
本発明によれば、少なくとも１つのキー画像が設定されたときに、画像表示端末における医用画像の画像表示状態を表す画像表示状態データを取得して、読影レポート及びキー画像に関連付けて読影レポートサーバに格納することにより、読影医がキー画像を読影レポートに添付する際にビューワに表示された検査画像を、読影医の他に、検査依頼医、検査実施者、看護師等も読影レポートを閲覧する際に容易に取得して、同じ画像表示状態で観察及び確認できる。従って、依頼者が読影レポートを閲覧する際に、読影レポートの内容を理解するための支援を実現することができる。
【発明を実施するための最良の形態】
【００１４】
以下、本発明を実施するための最良の形態について、図面を参照しながら詳しく説明する。なお、同一の構成要素には同一の参照番号を付して、説明を省略する。
図１は、本発明の一実施形態に係る読影レポート作成装置を含む読影支援システム、及び、本発明の一実施形態に係る依頼者端末を含む閲覧システムの構成を示すブロック図である。
【００１５】
読影支援システム１０は、読影レポート作成装置１と、読影医（本願においては、「ユーザ」ともいう）が使用するための少なくとも１つの画像表示端末（ビューワ）２と、画像サーバ３と、読影レポートサーバ４とを含んでいる。また、閲覧システム２０は、依頼者端末７と、依頼者が使用するための少なくとも１つの画像表示端末（ビューワ）８とを含んでいる。
【００１６】
読影支援システム１０及び閲覧システム２０は、ＲＩＳ（radiology information system：放射線科情報管理システム）５、及び、ＣＲ装置６ａ、ＣＴ装置６ｂ、ＭＲＩ装置６ｃ等の撮影モダリティに接続されていても良い。図１に示すように、これらの装置は、ＬＡＮ（ローカル・エリア・ネットワーク）等のネットワークを介して相互に接続されていても良い。
【００１７】
読影支援システム１０の読影レポート作成装置１は、表示部１００及び入力部１１０を備えている。表示部１００は、読影医が読影すべき検査を選択するために用いられるワークリストや、作成中の読影レポート等を表示するための表示装置である。また、入力部１１０は、キーボードやマウス等の入力装置である。図１は、読影医によって入力されたテキスト情報が表示される所見記入欄１０１及びキー画像１０２を含む読影レポート１０３が画面に表示された状態を示している。読影医は、画像表示端末２に表示された検査画像を観察しながら、表示部１００に表示された読影レポート１０３に、入力部１１０を用いてテキスト情報等を記入することにより、読影レポートを作成する。
【００１８】
画像表示端末２は、読影対象となっている検査画像を表示するための端末装置であり、高精細なディスプレイを備えている。図１には、画面２００上の複数のコマ２１０に複数のスライス画像がそれぞれ表示されている状態が示されている。図１においては、２つの画像表示端末２が示されているが、読影に際しては、少なくとも１つの画像表示端末２が用いられ、３つ以上の画像表示端末２が用いられても良い。
【００１９】
画像サーバ３は、例えば、ＣＲ装置６ａ、ＣＴ装置６ｂ、ＭＲＩ装置６ｃ等の撮影モダリティによって取得された画像データを保管及び管理するＰＡＣＳ（Picture Archiving and Communication System：医用画像情報システム）用のサーバである。画像サーバ３は、読影レポート作成装置１の要求に従って、所望の画像データを読影レポート作成装置１に出力する。
【００２０】
読影レポートサーバ４は、各検査に関する情報、及び、各検査に関する読影レポートを表す読影レポートデータを格納し、読影レポート作成装置１又は依頼者端末７からの要求に従って、所望の読影レポートデータを読影レポート作成装置１又は依頼者端末７に出力する。
【００２１】
閲覧システム２０の依頼者端末７は、表示部３００及び入力部３１０を備えている。表示部３００は、参照中の読影レポート等を表示するための表示装置である。また、入力部３１０は、キーボードやマウス等の入力装置である。図１は、読影医によって入力されたテキスト情報が表示される所見表示欄３０１及びキー画像３０２を含む読影レポート３０３が画面に表示された状態を示している。検査画像についての読影を読影医に依頼した担当医（依頼者）は、画像表示端末８に表示された検査画像を観察しながら、表示部３００に表示された読影レポート３０３を参照することにより診断を行う。
【００２２】
画像表示端末８は、診断対象となっている検査画像を表示するための端末装置であり、高精細なディスプレイを備えている。図１においては、２つの画像表示端末８が示されているが、検査画像の観察に際しては、少なくとも１つの画像表示端末８が用いられ、３つ以上の画像表示端末８が用いられても良い。
【００２３】
次に、図２を参照しながら、本実施形態に係る読影レポート作成装置の構成について説明する。
図２は、図１に示す読影支援システム１０の詳細な構成を示すブロック図である。図２に示すように、読影レポート作成装置１は、先に説明した表示部１００及び入力部１１０に加えて、中央演算装置（以下、ＣＰＵという）１２０と、画像サーバ３から入力される画像データや読影レポートサーバ４から入力される読影レポートデータ等を一旦記憶するメモリ１３０と、記録媒体としてのハードディスク１４１を制御するハードディスク制御部１４０と、ネットワークインタフェース１５０とを含んでいる。これらは、バスラインを介して相互に接続されている。また、ＣＰＵ１２０は、ネットワークインタフェース１５０を介して、ネットワークに接続される。
【００２４】
ハードディスク１４１には、ＣＰＵ１２０に処理を行わせるためのソフトウェア（プログラム）が記録されている。なお、記録媒体としては、内蔵のハードディスク１４１の他に、外付けハードディスク、フレキシブルディスク、ＭＯ、ＭＴ、ＲＡＭ、ＣＤ−ＲＯＭ、又は、ＤＶＤ−ＲＯＭ等を用いることもできる。
【００２５】
次に、読影レポート作成装置１において、ＣＰＵ１２０とソフトウェア（プログラム）とによって構成される複数の機能ブロックについて説明する。これらの機能ブロックは、検索条件入力部１１と、ワークリスト作成部１２と、レポート作成部１３と、画像データ取得部１４と、画像データ出力部１５と、キー画像挿入部１６と、画像表示状態取得部１７と、データ保存部１８とを含んでいる。
【００２６】
読影医が所望の検査に関する情報を検索するために、検索条件入力部１１は、検索画面を表示部１００に表示させる。読影医が、入力部１１０を操作して検索キーを入力すると、検索条件入力部１１は、それに従って、読影レポートサーバ４において検査に関する情報の検索を行う。読影レポートサーバ４には、各々の検査及び読影レポートに割り当てられたレポートＩＤに関連付けて、検査情報と、患者情報と、レポート管理情報とが格納されている。
【００２７】
ワークリスト作成部１２は、検索条件入力部１１が読影レポートサーバ４において検索した検査に関する情報に基づいて、ワークリストを生成して表示部１００に表示させる。読影医がワークリストにおいて検査を選択すると、レポート作成部１３は、選択された検査についての読影レポート作成画面を表示部１００に表示させる。
【００２８】
画像データ取得部１４は、選択された検査に対応する画像データを画像サーバ３から取得して、画像データ出力部１５に出力する。画像データ出力部１５は、画像データ取得部１４から入力した画像データを画像表示端末２に出力することにより、画像表示端末２に検査画像を表示させる。
【００２９】
読影医は、画像表示端末２に表示された検査画像を観察しながら、入力部１１０を用いてテキスト情報等を記入することにより、読影レポートの記入を行う。レポート作成部１４は、読影医が入力するテキスト情報に基づいて、読影レポートを作成する。
【００３０】
キー画像挿入部１６は、読影医が、画像表示端末２に表示されている検査画像の内から１つ又は複数の検査画像を選択したときに、選択された１つ又は複数の検査画像を１つ又は複数のキー画像として設定し、設定されたキー画像を読影レポートに挿入する。ここで、検査画像の選択は、マウスを用いたドラッグアンドドロップや、画像取込みボタンの押下等によって行われる。画像表示状態取得部１７は、各々のキー画像が設定されたときに、画像表示端末２に表示されている１つ又は複数の検査画像の画像表示状態を表す画像表示状態データを取得する。
【００３１】
読影医が、読影レポート作成画面に表示されている保存ボタンを押下する等により読影レポートを確定すると、データ保存部１８は、画像表示状態取得部１７によって取得された画像表示状態データを、当該読影レポート、及び、当該読影レポートにおいて設定された少なくとも１つのキー画像に関連付けて、作成された読影レポートを表す読影レポートデータと共に、読影レポートサーバ４に格納する。
【００３２】
図３は、検査画像の画像表示状態を表す画像表示状態データの構成例を示す図である。図３に示すように、データ保存部１８は、読影レポートを特定するためのレポートＩＤと、設定された少なくとも１つのキー画像を特定するためのキー画像情報とに関連付けて、画像表示状態データを読影レポートサーバ４に格納する。キー画像情報としては、キー画像を特定するためのキー画像ＩＤと、キー画像の番号を表すキー画像番号とが含まれる。
【００３３】
画像表示状態データは、例えば、画像表示端末２に表示された検査画像のレイアウトに関するレイアウト情報と、検査画像の画像処理において用いられた画像処理パラメータと、検査画像の回転に関する回転情報と、検査画像の拡大に関する拡大情報とを含んでおり、また、これ以外の情報を含むようにしても良い。
【００３４】
レイアウト情報としては、検査画像を表示する画像表示端末の構成を表すモニタ構成と、画像表示端末に表示されるウインドウの分割状態を表すウインドウ分割と、分割された各ウインドウ領域の位置を表すウインドウ番号と、各ウインドウ領域内に表示されるコマの数を示すウインドウ内コマ数と、各ウインドウ領域内に表示される検査画像を表す画像データを特定するためのウインドウ内表示画像判別情報とが含まれる。ウインドウ内表示画像判別情報は、検査を特定するための検査識別情報と、一連の検査画像であるシリーズを特定するためのシリーズ識別情報と、一連の検査画像における画像の位置を表す画像番号との組み合わせによって規定される。
【００３５】
画像処理パラメータとしては、検査画像が表示される各ウインドウ領域の表示幅及び中心位置が含まれる。回転情報としては、検査画像の回転方向（回転の有無）及び反転方向（反転の有無）が含まれる。拡大情報としては、検査画像の拡大サイズ及び拡大位置が含まれる。
【００３６】
次に、図４を参照しながら、本実施形態に係る依頼者端末の構成について説明する。
図４は、図１に示す閲覧システム２０の詳細な構成を示すブロック図である。図４に示すように、依頼者端末７は、表示部３００と、入力部３１０と、中央演算装置（以下、ＣＰＵという）３２０と、画像サーバ３から入力される画像データや読影レポートサーバ４から入力される読影レポートデータ等を一旦記憶するメモリ３３０と、記録媒体としてのハードディスク３４１を制御するハードディスク制御部３４０と、ネットワークインタフェース３５０とを含んでいる。これらは、バスラインを介して相互に接続されている。また、ＣＰＵ３２０は、ネットワークインタフェース３５０を介して、ネットワークに接続される。
【００３７】
ハードディスク３４１には、ＣＰＵ３２０に処理を行わせるためのソフトウェア（プログラム）が記録されている。なお、記録媒体としては、内蔵のハードディスク３４１の他に、外付けハードディスク、フレキシブルディスク、ＭＯ、ＭＴ、ＲＡＭ、ＣＤ−ＲＯＭ、又は、ＤＶＤ−ＲＯＭ等を用いることもできる。
【００３８】
次に、依頼者端末７において、ＣＰＵ３２０とソフトウェア（プログラム）とによって構成される複数の機能ブロックについて説明する。これらの機能ブロックは、レポート取得部２１と、画像表示状態読み出し部２２と、画像データ取得部２３と、画像データ出力部２４とを含んでいる。
【００３９】
依頼者が入力部３１０を用いて検査又は読影レポートを特定すると、レポート取得部２１は、当該読影レポートを表す読影レポートデータを読影レポートサーバ４から取得して、当該読影レポートの画面を表示部３００に表示させる。また、画像表示状態読み出し部２２は、当該読影レポートに関連付けられている画像表示状態データを読影レポートサーバ４から読み出す。
【００４０】
依頼者が、当該読影レポートに表示されているいずれかのキー画像を、マウスを用いてクリックする等の操作により選択すると、画像データ取得部２３は、選択されたキー画像に関連付けられている画像表示状態データ中のウインドウ内表示画像判別情報に基づいて、選択されたキー画像に対応付けられた１つ又は複数の検査画像を表す画像データを画像サーバ３から取得して、画像データ出力部２４に出力する。画像データ出力部２４は、画像データ取得部２３から入力した画像データを、画像表示状態読み出し部２２によって読み出された画像表示状態データと共に、画像表示端末８に出力する。
【００４１】
画像表示端末８は、受け取った画像表示状態データによって表される画像表示状態に従って、１つ又は複数の検査画像を表示する。その際に、キー画像が設定された際に画像表示端末２に表示された検査画像のレイアウトに関するレイアウト情報と、その検査画像の画像処理において用いられた画像処理パラメータと、その検査画像の回転に関する回転情報と、その検査画像の拡大に関する拡大情報とに従って、検査画像が表示される。
【００４２】
図５は、閲覧システムの画像表示端末における画像表示状態を示す模式図である。図５の（ａ）は、依頼者端末７において第１のキー画像３０２ａが選択された場合の画像表示端末８における画像表示状態を示しており、図５の（ｂ）は、依頼者端末７において第２のキー画像３０２ｂが選択された場合の画像表示端末８における画像表示状態を示している。
【００４３】
依頼者端末７の表示部３００には、依頼者が選択した読影レポート３０３が表示されている。読影レポート３０３において、読影医が記入した所見が表示されている所見表示欄３０１と、読影医によって挿入された２つのキー画像３０２ａ及び３０２ｂとが表示されている。
【００４４】
依頼者が、マウスを用いてクリックする等して第１のキー画像３０２ａを選択すると、、図５の（ａ）に示すように、画像表示端末８には、キー画像３０２ａが読影レポートに挿入された際と同じ画像表示状態で複数の検査画像が表示される。一方、依頼者が、マウスを用いてクリックする等して第２のキー画像３０２ｂを選択すると、図５の（ｂ）に示すように、画像表示端末８には、キー画像３０２ｂが読影レポートに挿入された際と同じ画像表示状態で複数の検査画像が表示される。これにより、依頼者が読影レポートを閲覧する際に、読影医がキー画像を設定したときの画像表示端末における画像表示状態を再現することができるので、依頼者が読影レポートの内容を理解するための支援を実現することができる。
【産業上の利用可能性】
【００４５】
本発明は、医用画像の撮影後に医師によって行われる読影を支援するための読影支援システムにおいて読影医が読影レポートを作成するために用いる読影レポート作成装置、及び、読影レポートを閲覧するための閲覧システムにおいて読影を依頼した臨床医等の依頼者が用いる依頼者端末において利用することが可能である。
【図面の簡単な説明】
【００４６】
【図１】本発明の一実施形態に係る読影レポート作成装置を含む読影支援システム、及び、本発明の一実施形態に係る依頼者端末を含む閲覧システムの構成を示すブロック図である。
【図２】図１に示す読影支援システムの詳細な構成を示すブロック図である。
【図３】検査画像の画像表示状態を表す画像表示状態データの構成例を示す図である。
【図４】図１に示す閲覧システムの詳細な構成を示すブロック図である。
【図５】閲覧システムの画像表示端末における画像表示状態を示す模式図である。
【符号の説明】
【００４７】
１  読影レポート作成装置
２  画像表示端末
３  画像サーバ
４  読影レポートサーバ
５  ＲＩＳ
６ａ  ＣＲ装置
６ｂ  ＣＴ装置
６ｃ  ＭＲＩ装置
７  依頼者端末
８  画像表示端末
１０  読影支援システム
１１  検索条件入力部
１２  ワークリスト作成部
１３  レポート作成部
１４  画像データ取得部
１５  画像データ出力部
１６  キー画像挿入部
１７  画像表示状態取得部
１８  データ保存部
２０  閲覧システム
２１  レポート取得部
２２  画像表示状態読み出し部
２３  画像データ取得部
２４  画像データ出力部
１００、３００  表示部
１０１、３０１  所見記入欄
１０２、３０２、３０２ａ、３０２ｂ  キー画像
１０３、３０３  読影レポート
１１０、３１０  入力部
１２０、３２０  ＣＰＵ
１３０、３３０  メモリ
１４０、３４０  ハードディスク制御部
１４１、３４１  ハードディスク
１５０、３５０  ネットワークインタフェース
２００、４００  表示画面
【図１】
2007087285.tif 000003
【図２】
2007087285.tif 000004
【図３】
2007087285.tif 000005
【図４】
2007087285.tif 000006
【図５】
2007087285.tif 000007